(57)【要約】【課題】音声および画像通信を行なう通信装置において、簡単安価な構成により適切な通信路を選択し高速かつ高信頼性のデータ通信を行なえるようにする。【解決手段】通信装置１０４は、相手局（１０７）の電話番号がＶｏＩＰ網対応であれば、ＳＩＰプロキシサーバ１０３から相手局のＩＰアドレスを取得し、相手局との間でＦＴＰ、ＨＴＴＰなどのファイル送受信プロトコルによりＩＰ網１０１上で通信データを送受信する。相手局（１１２）の電話番号がＶｏＩＰ対応でなければ画像データをファクシミリ変調し、このファクシミリ変調方式に適したデジタル符号化方式（６４ｋｂｐｓ  ＰＣＭ符号化）を選択し、ファクシミリ変調で得られたアナログファクシミリ信号をデジタル符号化してＩＰ網と公衆回線網の間でアナログ／デジタル信号変換を行なうメディアゲートウェイを介して相手局に送信する。【選択図】図１
2005079929.tif 000002
【特許請求の範囲】
【請求項１】
デジタル符号化手段により音声信号をデジタル符号化して相手局に送信することによりＶｏＩＰ音声通信を行なうとともに、相手局との間で画像データを送受信する通信装置において、
相手局に対して画像データを送信するに際し、相手局がＩＰアドレスを有している場合は、相手局の電話番号に基づき所定のサーバから取得した相手局のＩＰアドレスを用いて当該相手局との間で所定のＩＰ通信プロトコルに基づきＩＰ網上で画像データをファクシミリ変調することなく送受信する第１の画像通信手順を選択し、
一方、相手局がＩＰアドレスを有していない場合は、所定のファクシミリ変調方式により画像データをファクシミリ変調するとともに、前記デジタル符号化手段のデジタル符号化方式を前記ファクシミリ変調方式に適したデジタル符号化方式に切り換え、前記ファクシミリ変調により得られたアナログファクシミリ信号を前記デジタル符号化手段でデジタル符号化した上、ＩＰ網と公衆回線網の間でアナログ／デジタル信号変換を行なうメディアゲートウェイを介して相手局に送信する第２の画像通信手順を選択する通信制御手段を有することを特徴とする通信装置。
【請求項２】
前記第２の画像通信手順において、前記デジタル符号化手段のデジタル符号化方式を前記ファクシミリ変調方式に適したデジタル符号化方式に切り換え、前記デジタル符号化手段にファクシミリ通信手順に必要なトーン信号、またはファクシミリ変調した送信画像データを入力することを特徴とする請求項１に記載の通信装置。
【請求項３】
相手局に対して画像データを送信するに際し、相手局の電話番号を解析することにより、前記第１または第２の画像通信手順のいずれを用いるかを決定することを特徴とする請求項１に記載の通信装置。
【請求項４】
前記ＶｏＩＰ音声通信においては、ＶｏＩＰプロトコルに基づき行なわれるネゴシエーションに基づき前記デジタル符号化手段のデジタル符号化方式を選択することを特徴とする請求項１に記載の通信装置。
【請求項５】
デジタル符号化手段により音声信号をデジタル符号化して相手局に送信することによりＶｏＩＰ音声通信を行なうとともに、相手局との間で画像データを送受信する通信装置の制御方法において、
相手局に対して画像データを送信するに際し、相手局がＩＰアドレスを有している場合は、相手局の電話番号に基づき所定のサーバから取得した相手局のＩＰアドレスを用いて当該相手局との間で所定のＩＰ通信プロトコルに基づきＩＰ網上で画像データをファクシミリ変調することなく送受信する第１の画像通信手順を選択し、一方、相手局がＩＰアドレスを有していない場合は、所定のファクシミリ変調方式により画像データをファクシミリ変調するとともに、前記デジタル符号化手段のデジタル符号化方式を前記ファクシミリ変調方式に適したデジタル符号化方式に切り換え、前記ファクシミリ変調により得られたアナログファクシミリ信号を前記デジタル符号化手段でデジタル符号化した上、ＩＰ網と公衆回線網の間でアナログ／デジタル信号変換を行なうメディアゲートウェイを介して相手局に送信する第２の画像通信手順を選択することを特徴とする通信装置の制御方法。
【請求項６】
前記第２の画像通信手順において、前記デジタル符号化手段のデジタル符号化方式を前記ファクシミリ変調方式に適したデジタル符号化方式に切り換え、前記デジタル符号化手段にファクシミリ通信手順に必要なトーン信号、またはファクシミリ変調した送信画像データを入力することを特徴とする請求項５に記載の通信装置の制御方法。
【請求項７】
相手局に対して画像データを送信するに際し、相手局の電話番号を解析することにより、前記第１または第２の画像通信手順のいずれを用いるかを決定することを特徴とする請求項５に記載の通信装置の制御方法。
【請求項８】
前記ＶｏＩＰ音声通信においては、ＶｏＩＰプロトコルに基づき行なわれるネゴシエーションに基づき前記デジタル符号化手段のデジタル符号化方式を選択することを特徴とする請求項５に記載の通信装置の制御方法。
【請求項９】
デジタル符号化手段により音声信号をデジタル符号化して相手局に送信することによりＶｏＩＰ音声通信を行なうとともに、相手局との間で画像データを送受信する通信装置の制御プログラムにおいて、
相手局に対して画像データを送信するに際し、相手局がＩＰアドレスを有している場合は、相手局の電話番号に基づき所定のサーバから取得した相手局のＩＰアドレスを用いて当該相手局との間で所定のＩＰ通信プロトコルに基づきＩＰ網上で画像データをファクシミリ変調することなく送受信する第１の画像通信手順を選択し、一方、相手局がＩＰアドレスを有していない場合は、所定のファクシミリ変調方式により画像データをファクシミリ変調するとともに、前記デジタル符号化手段のデジタル符号化方式を前記ファクシミリ変調方式に適したデジタル符号化方式に切り換え、前記ファクシミリ変調により得られたアナログファクシミリ信号を前記デジタル符号化手段でデジタル符号化した上、ＩＰ網と公衆回線網の間でアナログ／デジタル信号変換を行なうメディアゲートウェイを介して相手局に送信する第２の画像通信手順を選択するための制御過程を含むことを特徴とする通信装置の制御プログラム。
【請求項１０】
前記第２の画像通信手順において、前記デジタル符号化手段のデジタル符号化方式を前記ファクシミリ変調方式に適したデジタル符号化方式に切り換え、前記デジタル符号化手段にファクシミリ通信手順に必要なトーン信号、またはファクシミリ変調した送信画像データを入力するための制御過程を含むことを特徴とする請求項９に記載の通信装置の制御プログラム。
【請求項１１】
相手局に対して画像データを送信するに際し、相手局の電話番号を解析することにより、前記第１または第２の画像通信手順のいずれを用いるかを決定するための制御過程を含むことを特徴とする請求項９に記載の通信装置の制御プログラム。
【請求項１２】
前記ＶｏＩＰ音声通信においては、ＶｏＩＰプロトコルに基づき行なわれるネゴシエーションに基づき前記デジタル符号化手段のデジタル符号化方式を選択するための制御過程を含むことを特徴とする請求項９に記載の通信装置の制御プログラム。
【発明の詳細な説明】
【技術分野】
【０００１】
本発明は、音声および画像通信を行なうとともに、アナログ通信路とネットワーク通信路に対応した通信装置、その制御方法、およびその制御プログラムに関するものである。
【背景技術】
【０００２】
近年、ＡＤＳＬのように、高速のデータ伝送を行なうことのできるブロードバンド通信回線が普及してきている。ＡＤＳＬにおいては、加入者の線路に電話線と同じメタリックケーブルを用いる点に特徴があり、これにより、同一の線路をアナログ電話サービスと、ネットワーク接続サービスの両方に用いることができる。すなわち、通信回線と通信端末の間にスプリッタという周波数分割用のフィルタを挿入することにより、音声帯域信号を伝送する回線とデジタルデータを伝送する回線に分離することができる。
【０００３】
同一線路をアナログ電話サービスに用いる場合、加入者の機器の構成としてＡＤＳＬモデム＋スプリッタ＋コンピュータ、ＡＤＳＬモデム＋スプリッタ＋ルータ…のように種々の構成が考えられるが、電話との共用の便を考慮したＡＤＳＬゲートウェイとしては、たとえば上記のＡＤＳＬモデム＋スプリッタの部分を一体化した構成が考えられる。
【０００４】
このようなＡＤＳＬゲートウェイでは、たとえば音声帯域信号を伝送する回線にアナログ電話機を接続できるように、モジュラージャックが設けられ、ここに電話機やファクシミリのような通信装置を接続して通信することができる。
【０００５】
また、高速デジタル通信のために、ＡＤＳＬゲートウェイにはＣＳＭＡ／ＣＤ（たとえばＥｔｈｅｒｎｅｔ（商標名））の接続インターフェイスが設けられている。このＣＳＭＡ／ＣＤインターフェイスにＰＣ（パーソナルコンピュータ）などを接続することにより、ＷＷＷサーバなどから、高速でデータをダウンロードすることができる。ただし、ＰＣのようなネットワーク機器との間のインターフェースにはＣＳＭＡ／ＣＤのみならず、ＵＳＢのようなインターフェースも用いられている。
【０００６】
ＰＣのようにサーバに接続して使用する端末は高速通信を行なうことができるが、電話機やファクシミリのように、回線交換網（アナログ通信路）を経由して相手端末とリアルタイムでの送受信を行なう端末はアナログ帯域を使用するものであった。アナログファクシミリ手順では、白黒２値の画像データ程度では問題にならない場合もあるが、デジタルカメラなどで撮影した大容量のカラー画像（ＪＰＥＧフォーマットなどによる）データを送信する場合には長い通信時間を要するという問題があった。
【０００７】
画像データ等のような通信データを高速伝送するためには、ファクシミリをＣＳＭＡ／ＣＤインターフェイスに接続して、画像データをパケットにしてファイルサーバにアップロードし（たとえばＦＴＰ、ＨＴＴＰなどのプロトコルを用いる）、相手端末がサーバからダウンロードするという手順を踏むことにより、高速伝送を実現することも可能である。しかし、この場合には受信側がデータを受信するためにわざわざサーバへアクセスする必要があり、また、通信のリアルタイム性が失われるという問題があった。また、受信側の宛先アドレスをサーバに通知したり、受信側の主導でデータをダウンロードする場合は受信側にデータのアップロードを報知するなどのしくみが必要であり、従来のファクシミリ装置におけるように、単に相手先の電話番号を指定するだけの簡単な操作では通信を実現するのが困難であった。
【０００８】
この点に鑑み、特開平１０−１０７９３８号公報（下記の特許文献１）において、ＩＰ網上のサーバ経由で画像通信を行なう技術が開示されている。すなわち、画像の送信側の第１の端末は、第１の端末が含まれるサーバを呼び出し、第１の端末を第１の端末が含まれるサーバを介してコンピュータネットワーク網と接続させると共に、画像の受信側となる第２の端末を指定し、第２の端末が含まれるネットワークのサーバは、第２の端末を呼び出し、第１の端末は、画像データをコンピュータネットワーク網に適合した形式でコンピュータネットワーク網を介して第２の端末が含まれるサーバに送り、第２の端末が含まれるサーバは、コンピュータネットワーク網に適合した形式の画像データをファクシミリ画像データに変換して、公衆回線を介して第２の端末に送り、第２の端末は、ファクシミリ画像データから画像を再生する。
【０００９】
また、特開平９−２４７３３４号公報（下記の特許文献２）、特開平１０−１３３９６７号公報（下記の特許文献３）などには、送信先のインターネットアドレスを入力することにより、電子メール形式で画像を送信する方法が多数提案されている。
【００１０】
さらに、特開２０００−３５４１２７号公報（下記の特許文献４）、特開２００１−１９７２７９号公報（下記の特許文献５）などには、ＩＴＵ−Ｔ勧告Ｔ．３８を応用して、インターネット上でリアルタイムにファクシミリ画像送信を中継する方法が提案されている。
【特許文献１】特開平１０−１０７９３８号公報
【特許文献２】特開平９−２４７３３４号公報
【特許文献３】特開平１０−１３３９６７号公報
【特許文献４】特開２０００−３５４１２７号公報
【特許文献５】特開２００１−１９７２７９号公報
【特許文献６】特開平４−１０９７３６号公報
【発明の開示】
【発明が解決しようとする課題】
【００１１】
しかしながら、上記の特許文献１においては、送信元の端末においてサーバにダイアルアップ接続し、認証手順などを含むログイン処理をした上で、送信先の端末番号を入力する必要が生じていた。したがって、従来のファクシミリのように、電話番号を入力するだけで画像伝送を行なうことはできなかった。
【００１２】
また、特許文献２および特許文献３においては、インターネット経由で送信する場合には、メールアドレスの入力が必要となるものであった。また、電子メールとして画像を送信するため、画像データはサーバに蓄積され、受信側がサーバにＰＯＰ（Ｐｏｓｔ  Ｏｆｆｉｃｅ  Ｐｒｏｔｏｃｏｌ）などの電子メール読み出しプロトコルによりアクセスして受信する必要があるという問題があった。
【００１３】
さらに、特許文献４および特許文献５においては、ＩＴＵ−Ｔ勧告Ｔ．３８のプロトコルを処理するための専用のゲートウェイが必要になると共に、端末とインターネットの間は通常の電話回線を使用しているために、伝送速度は従来の電話交換網を利用したファクシミリ通信の場合と同じものであった。
【００１４】
これらの課題を解決するために、たとえば図２（ｂ）のような構成を用い、ＶｏＩＰ（Ｖｏｉｃｅ  Ｏｖｅｒ  Ｉｎｔｅｒｎｅｔ  Ｐｒｏｔｏｃｏｌ）の環境を利用して、従来のファクシミリと同様の操作によりリアルタイムで高速画像通信を行なうことが考えられる。図２（ｂ）は、画像通信装置のシステムバス周りに配置した画像通信のための構成部材を示している。
【００１５】
図２（ｂ）の構成では、ＶｏＩＰ網のＳＩＰプロキシ（またはゲートキーパー）の機能を利用し、送信先の電話番号に対応するＩＰアドレスを取得し、この送信先の端末に対してＬＡＮコントローラ１２１６〜ＣＳＭＡ／ＣＤインターフェイスを経由して所定のファイルフォーマットに変換した画像データを送信する。
【００１６】
また、ＶｏＩＰ網に接続されていないファクシミリ装置との間で通信を行なう際には、送信画像をファクシミリモデム１２０７で変調し、生成されたアナログ信号をＶｏＩＰ用コーデック１２１０でデジタル符号化した上でパケットに変換し、変換したパケットをＶｏＩＰ音声通信と同様の手順を用いてＬＡＮコントローラ１２１６〜ＣＳＭＡ／ＣＤインターフェイス経由で送信する。
【００１７】
本来のＶｏＩＰ音声通信を行なう場合には、スイッチ１２０９を介してハンドセットなどの音声入出力部１２０８とＶｏＩＰ用コーデック１２１０を接続してＶｏＩＰ音声通信を行なう。
【００１８】
しかしながら、このような構成によりＶｏＩＰ網に接続されていないファクシミリ装置との間で通信を行なう際には、ファクシミリモデムで変調し、変調したアナログ信号をＶｏＩＰ用コーデックによってデジタル符号化して送信するために次のような問題があった。
【００１９】
（１）ＶｏＩＰ網に接続されていないファクシミリ装置との通信頻度が低い場合にもファクシミリモデムを搭載する必要があり、コストパフォーマンスが悪い。
【００２０】
（２）デジタル画像信号⇒アナログ変調信号⇒デジタル符号化データと多くの変換処理が必要になり、回路規模が大きくなり、データ処理量が多い。
【００２１】
また、上記特許文献６には、デジタル画像信号を変調する変調手段と、符号化手段の間に周波数変換手段を配置して、無駄なアナログ変換（図２（ｂ）においてはファクシミリモデム１２０７とＶｏＩＰ用コーデック１２１０の間でのアナログ伝送）を行なうことなく送信画像を音声コーデック形式で符号化する構成が開示されている。
【００２２】
しかしながら、特許文献６の発明は画像伝送についてのみ考慮されており、音声と画像を通信するシステムに関しては考慮されていなかった。したがって、音声および画像のいずれも送信する必要がある装置に特許文献６の構成を適用するには、音声用と画像用にそれぞれ異なるデジタル符号化部を設けなければならない。
【００２３】
また、特許文献６の構成は、ＶｏＩＰのように、伝送速度の異なる複数の符号化方式が選択される可能性がある点について考慮されていないので、画像の変調方式によっては、デジタル符号化による量子化誤差が大きく、正常に画像通信を行なうことができないことも考えられる。
【００２４】
本発明の課題は、上記の問題に鑑み、音声および画像通信を行なうとともに、アナログ通信路とネットワーク通信路に対応した通信装置において、簡単安価な構成により適切な通信路を選択し高速かつ高信頼性のデータ通信を行なえるようにすることにある。
【課題を解決するための手段】
【００２５】
上記の課題を解決するため、本発明は、
相手局に対して画像データを送信するに際し、相手局がＩＰアドレスを有している場合は、相手局の電話番号に基づき所定のサーバから取得した相手局のＩＰアドレスを用いて当該相手局との間で所定のＩＰ通信プロトコルに基づきＩＰ網上で画像データをファクシミリ変調することなく送受信する第１の画像通信手順を選択し、
一方、相手局がＩＰアドレスを有していない場合は、所定のファクシミリ変調方式により画像データをファクシミリ変調するとともに、前記デジタル符号化手段のデジタル符号化方式を前記ファクシミリ変調方式に適したデジタル符号化方式に切り換え、前記ファクシミリ変調により得られたアナログファクシミリ信号を前記デジタル符号化手段でデジタル符号化した上、ＩＰ網と公衆回線網の間でアナログ／デジタル信号変換を行なうメディアゲートウェイを介して相手局に送信する第２の画像通信手順を選択する構成を特徴とする。
【発明の効果】
【００２６】
以上のような特徴的な構成を採用することにより本発明は、第１の画像通信手順により大量の画像データをファクシミリ手順を用いずに高速に相手局に送信でき、一方、第２の画像通信手順により画像通信を行なう場合はファクシミリ変調方式に最適なデジタル符号化方式を選択しメディアゲートウェイを介して相手局と信頼性の高い画像通信を行なうことができる、という優れた利点がある。
【発明を実施するための最良の形態】
【００２７】
以下、図面に示した実施例に基づき本発明を詳細に説明する。本発明は音声および画像通信を行なうとともに、アナログ通信路とネットワーク通信路に対応した通信装置に適用できるものであるが、以下では専用機として構成された通信装置と、その制御方法、ないしその制御プログラムに関する実施例を示す。
【実施例１】
【００２８】
図１は本実施例を適用可能なネットワークシステムの構成を示している。図１において、符号１０１はインターネット（以下ＩＰ網と記す）、１０２はＤＮＳ（Ｄｏｍａｉｎ  Ｎａｍｅ  Ｓｅｒｖｉｃｅ）サーバであり、ドメインネームをＩＰアドレスに変換する処理を行なう。
【００２９】
符号１０３はＶｏＩＰ用ＳＩＰプロキシ（グローバルＩＰアドレス：１９１．１６８．０．１）で、ＩＰ電話サービスにおける呼接続処理を行なうためのＳＩＰ（Ｓｅｓｓｉｏｎ  Ｉｎｉｔｉａｔｉｏｎ  Ｐｒｏｔｏｃｏｌ）サービスを提供する。
【００３０】
符号１０４は第一の画像通信装置（グローバルＩＰアドレス：１９２．１６８．０．１）で、本実施例では発呼／画像送信装置として動作する。画像通信装置１０４の詳細な構成については図２により後述する。
【００３１】
符号１０５はＡＤＳＬモデムであり、アナログ電話を接続するアナログ電話インターフェイスとデジタルデータの送受信を行なうためのＥｔｈｅｒｎｅｔインターフェイスを内蔵しており、アナログ電話インターフェイスを伝送する音声帯域信号とＥｔｈｅｒｎｅｔインターフェイスを伝送する音声帯域外信号を多重化・変調して通信回線に送信する機能を有する。また、ＡＤＳＬモデム１０５は通信回線から受信した信号を音声帯域信号と音声帯域外信号に分離し、それぞれアナログ電話インターフェイスとＣＳＭＡ／ＣＤ（たとえばＥｔｈｅｒｎｅｔ（商標名））インターフェイスに出力する機能も有する。
【００３２】
符号１０６はＡＤＳＬモデム１０５と画像通信装置１０４を接続するＣＳＭＡ／ＣＤインターフェイス、１０７は第二の画像通信装置（グローバルＩＰアドレス：１９３．１６８．０．１）、１０８はＡＤＳＬモデム、１０９はＣＳＭＡ／ＣＤインターフェイス、１１０は電話回線交換網、１１１はＩＰ網１０１と電話回線交換網１１０を接続し、データ変換処理を行なうメディアゲートウェイ、１１２は電話回線交換網に接続されるファクシミリ装置などの画像通信装置である。画像通信装置１０７ないし１１２は本実施例では着呼／画像受信装置として動作する。
【００３３】
メディアゲートウェイ１１１は、ＩＰ網と公衆回線網の間でアナログ／デジタル信号変換を行なうもので、サービスプロバイダ、特にＩＰ電話サービスを提供するインターネットサービスプロバイダなどにより設置される。本実施例においてはメディアゲートウェイ１１１は、後述のＬＡＮコントローラ２１６（図２（ａ））のようなインターネット側との接続手段（ＣＳＭＡ／ＣＤインターフェースあるいはより高速なインターフェース）、および電話回線交換網１１０とのインターフェース手段、さらに後述のモデムコーデック２１０（図２（ａ））と同じデジタル符号化方式をサポートした信号変換手段を有しているものとする。
【００３４】
メディアゲートウェイ１１１は、その設置者のインターネットサービスプロバイダのネットワーク内の端末（たとえば画像通信装置１０４）からのＩＰ電話発呼宛先が電話回線交換網１１０の加入者端末（たとえば画像通信装置１１２）であった場合、ＳＩＰプロトコルの応答処理を行なった後、ＩＰ網１０１側の発呼端末と電話回線交換網１１０の側の着呼端末の間でアナログ／デジタル信号変換を行なう。この時、ＩＰ網１０１に対して送受信される信号はＶｏＩＰ規格に基づきデジタル符号化された（音声）データ信号であり、電話回線交換網１１０に対して送受信される信号は音声帯域のアナログ信号である。
【００３５】
なお、電話回線交換網１１０側からの発呼については、電話回線交換網１１０の回線業者が電話番号（たとえば「０５０」プリフィックスで始まるＩＰ電話番号による）の解析を行ない、その結果、宛先がメディアゲートウェイ１１１の設置者のネットワーク内の加入者に対するものである場合は、その発呼はメディアゲートウェイ１１１にルーティングされ、以後、ＳＩＰプロトコルに基づきメディアゲートウェイ１１１の設置者のネットワーク内の端末が発呼される。以上のようなＩＰ網１０１〜電話回線交換網１１０の間の発着呼制御においては、メディアゲートウェイ１１１と電話回線交換網１１０側の局内交換機の間でＮｏ．７共通線信号方式が用いられる。
【００３６】
図２（ａ）は本発明を採用した画像通信装置（図１の１０４または１０７）の構成を示している。同図において、符号２０１はＣＰＵであり、ＲＯＭ２０２に格納されたプログラムにしたがって画像通信装置の制御を行なう。また、ＴＣＰ／ＩＰのプロトコル処理も行い、画像データのＴＣＰ／ＩＰフレームへの組立はこのＣＰＵ２０１の制御により行われる。符号２０３はＲＡＭであり、プログラム実行時のワークメモリとして使用すると共に、送受信する画像データのバッファリングにも使用される。
【００３７】
符号２０４はＣＩＳ（Ｃｏｎｔａｃｔ  Ｉｍａｇｅ  Ｓｅｎｓｏｒ）で、光学センサや原稿搬送機構から構成され、原稿の画像を読み取り、アナログ画像信号に変換する。読取制御部２０５はＣＩＳ２０４が出力するアナログ信号をデジタルデータに変換する。変換されたデジタルデータは、ＣＰＵ２０１の制御によりＲＡＭ２０３に転送される。
【００３８】
符号２０６はＭＨ符号化・復号化処理部であり、画像送信時には、読み取った画像データをＭＨ符号化してデータ圧縮する。受信時には、ＭＨ符号化されている画像データを復号化する。
【００３９】
符号２０８は音声入出力部（ハンドセット）であり、音声を入力するマイクと、音声を出力するスピーカから構成される。
【００４０】
符号２１０はモデムコーデックであり、音声アナログ信号をデジタル信号処理のためにデジタル変換するＡ／Ｄコンバータ２１０−１、ＩＴＵ−Ｔ勧告Ｔ．３０で規定されるファクシミリ送信手順に必要なＣＮＧなどのトーンを生成するトーン生成部２１０−２、データバス経由で入力される画像データを変調処理する変調処理部２１０−３、デジタル符号化部２１０−４、デジタル符号化部２１０−４に入力する信号ソースの選択を行なうセレクタ２１０−５から構成される。
【００４１】
デジタル符号化部２１０−４は本発明の特徴部分で、音声信号、およびファクシミリ信号にそれぞれ適したデジタル符号化を行なうために設けられている。デジタル符号化部２１０−４は、ＶｏＩＰで使用される６４ｋｂｐｓ：ＰＣＭ（Ｇ．７１１）、１６ｋｂ／ｓ  ：  ＬＤ−ＣＥＬＰ（Ｇ．７２８）、８ｋｂ／ｓ：ＣＳ−ＡＣＥＬＰ（Ｇ．７２９／Ｇ．７２９ａ）、６．３ｋｂ／ｓ：ＭＰ−ＭＬＱ（Ｇ．７２３．１）、５．３ｋｂ／ｓ：Ａ−ＣＥＬＰ（Ｇ．７２３．１）の各符号化方式をサポートし、これらのいずれかのサンプリングレートでデジタル符号化処理を行なうことができる。
【００４２】
符号２１１はキー操作部であり、ダイヤルやファクシミリ送受信の操作ボタンなどから構成される。符号２１２は液晶表示部である。
【００４３】
符号２１３は記録処理部であり、受信した画像データを印刷用ラスタデータに変換し、印刷するものである。記録処理部２１３の記録方式は任意であり、電子写真方式やインクジェット方式を用いることができる。
【００４４】
符号２１４はカードインターフェイスであり、デジタルカメラで撮影したＪＰＥＧ画像を格納したメモリカードを接続することができる。
【００４５】
符号２１５はＪＰＥＧ処理部であり、カードインターフェイスを経由して入力されたＪＰＥＧ画像をＪＰＥＧ圧縮し、または、受信したＪＰＥＧ画像データを伸張することができる。
【００４６】
符号２１６はＬＡＮコントローラであり、ＡＤＳＬモデムとの間でＣＳＭＡ／ＣＤインターフェイス１０６（１０９）を経由してデータ送受信を行なう。送信すべきデータをＬＡＮコントローラ２１６に転送すると、ＬＡＮコントローラ２１６はＭＡＣ（Ｍｅｄｉａ  Ａｃｃｅｓｓ  Ｃｏｎｔｒｏｌ）フレームヘッダとＦＣＳ（Ｆｒａｍｅ  Ｃｈｅｃｋ  Ｓｅｑｕｅｎｃｅ）などの制御データを付加した上で、ＣＳＭＡ／ＣＤインターフェイスに送信する。
【００４７】
次に上記構成における通信制御につき説明する。以下、第一の画像通信装置１０４から第二の画像通信装置１０７および第三の画像通信装置１１２に対して、画像を送信する場合の処理について説明する。なお、第二の画像通信装置１０７に対しては、デジタルカメラで撮影したＪＰＥＧ画像データを送信し、第三の画像通信装置１１２に対しては、スキャナで読み取った画像データをＧ３ファクシミリ画像（ＭＨ符号化画像）として送信することを想定して説明する。
【００４８】
図４は画像通信装置（１０４）が実行する通信制御手順、図５は画像通信装置（１０７）が実行する通信制御手順、図６はＳＩＰプロキシ１０３が実行する通信制御手順、図７はメディアゲートウェイ１１１が実行する通信制御手順、図８は画像通信装置（１１２）が実行する通信制御手順をそれぞれ示している。これら各図に図示の手順は、ＣＰＵ２０１の制御プログラムとしてＲＯＭ２０２に格納され、ＣＰＵ２０１により実行される（画像通信装置１０４の場合。他の装置では同等の記憶媒体が用いられる）。ただし、本実施例の通信制御手順を実現するプログラムの格納場所はＲＯＭに限定されるものではなく、また、その供給経路も出荷時からＲＯＭに格納しておくほか、他の記憶媒体経由で、あるいはネットワーク経由で供給、更新できるものであってよい。
【００４９】
図３は図４〜図８の通信制御により実現される通信シーケンスを示したもので、図４〜図８の各処理に対応するステップの番号を付してある。
【００５０】
画像通信装置１０４のキー操作部２１１により宛先が入力されると（図４（ａ）ステップＳ４０１）、番号を解析する。この解析は宛先に対する通信がＶｏＩＰ網経由であるか否かを判断するために行なう。たとえば、番号が０５０−１２３４−５６７８であるとすると、先頭３桁の番号によりＶｏＩＰ網を経由して通信する相手に対するものであると判断し（ステップＳ４０２）、ステップＳ４０３以降の処理を実行する。
【００５１】
なお、上記の３桁の電話番号プリフィックス「０５０」は、現在のところＶｏＩＰ網を用いたＩＰ電話の通信事業者をあらわす番号として定められているものである。この規約は日本国内のものであり、外国など他の番号計画が適用されている場合には適宜変更してよいのはいうまでもない。宛先がＶｏＩＰ網経由でない場合には、後述の図４（ｂ）の処理を実行する。ここでは、先頭３桁のプリフィックスで判断したが、これに限らず、相手先の電話番号ごとに相手がＶｏＩＰ網を経由して通信可能であるかどうかを適当な判定条件を格納したテーブルに基づいて判断するようにしてもよい。
【００５２】
宛先がＶｏＩＰ網を経由して通信可能な相手である場合は、図３（ａ）に示すような通信シーケンスにより、ＶｏＩＰ／ＳＩＰを一部利用し、画像通信装置１０５と画像通信装置１０７がアナログ音声回線を用いることなくＩＰ網上で通信する。
【００５３】
まず、図４（ａ）のステップＳ４０３において、ＡＤＳＬモデムに接続されたＣＳＭＡ／ＣＤインターフェイス１０６経由で、前記電話番号情報を入れたＳＩＰ（Ｓｅｓｓｉｏｎ  Ｉｎｉｔｉａｔｉｏｎ  Ｐｒｏｔｏｃｏｌ）のセッション要求メッセージ（ＩＮＶＩＴＥメッセージ）を送信する。このセッション要求メッセージの送信先アドレスには、ＳＩＰプロキシ１０３のプライベートＩＰアドレス１９１．１６８．０．１を入れて送信する。
【００５４】
ＳＩＰパケットを送信する内部動作は以下の通りである。まず、ＣＰＵ２０１はＲＯＭ２０２に格納されたプログラムに基づいて、送信先としてキー操作部２１１から入力されていた電話番号情報を、送信元には画像通信装置１０４の電話番号情報をヘッダとして付加したセッション要求メッセージを生成する。続いて、前記メッセージに送信先ＩＰアドレス、送信元ＩＰアドレスを含むＩＰヘッダを付加したフレームを生成して、ＬＡＮコントローラ２１６に転送する。送信先ＩＰアドレスにはＳＩＰプロキシのＩＰアドレスである１９１．１６８．０．１を入れ、送信元ＩＰアドレスには画像通信装置１０４のＩＰアドレスである１９２．１６８．０．１を入れて送信する。
【００５５】
ＬＡＮコントローラ２１６は送信データを受信すると、ＭＡＣ（Ｍｅｄｉａ  Ａｃｃｅｓｓ  Ｃｏｎｔｒｏｌ）ヘッダを付加してＡＤＳＬモデム１０５（図１）に送信し、データを受信したＡＤＳＬモデム１０５は受信したデータをＩＰ網１０１に送信する。これ以降に送信される各種メッセージについても、同様の手順により送信される。
【００５６】
本パケットの場合は、送信先ＩＰアドレスにＳＩＰプロキシのＩＰアドレスが入れられているので、ＩＰ網１０１を経由してＳＩＰプロキシ１０３に届けられることになる（図６ステップＳ６０１）。
【００５７】
ＳＩＰプロキシ１０３は、受け取ったセッション要求メッセージのヘッダ内の電話番号を８．７．６．５．４．３．２．１．  ｅ１６４．ａｒｐａというＵＲＬに展開し（ステップＳ６０２）、ＤＮＳサーバ１０２を検索する（ステップＳ６０３）。ＤＮＳサーバ１０２から相手先の画像通信装置１０７のＩＰアドレスを受信したＳＩＰプロキシ１０３は（ステップＳ６０４）、画像通信装置１０４から受信したパケット内の送信先ＩＰアドレスをＤＮＳサーバ１０２から受信した画像通信装置１０７のＩＰアドレスに入れ替え、送信元ＩＰアドレスをＳＩＰプロキシ１０３のＩＰアドレスに入れ替えた上で、画像通信装置１０７宛てにセッション要求メッセージを送信する（ステップＳ６０５）。
【００５８】
一方、セッション要求メッセージを受信した画像通信装置１０７は（図５ステップＳ５０１）、呼出中メッセージをＳＩＰプロキシ１０３宛てに送信する（ステップＳ５０２）。呼出中メッセージのヘッダ内の宛先には、受信したセッション要求メッセージのヘッダに記述されている送信元電話番号情報を入れ、送信先ＩＰアドレスには、セッション要求メッセージの送信元ＩＰアドレスである、ＳＩＰプロキシ１０３のアドレスを入れて送信する。
【００５９】
呼出中メッセージを受信したＳＩＰプロキシ１０３は（図６ステップＳ６０６）、送信先ＩＰアドレスを画像通信装置１０４のＩＰアドレスに、送信元ＩＰアドレスをＳＩＰプロキシ１０３のＩＰアドレスにそれぞれ入れ替えて送信し（ステップＳ６０７）、画像通信装置１０４が呼出中メッセージを受信する（ステップＳ４０４）。
【００６０】
続いて、画像通信装置１０７は画像受信できる状態であれば（図５ステップＳ５０３）、ＳＩＰプロキシ１０３宛てに応答メッセージを送信する（ステップＳ５０４）。応答メッセージを受信したＳＩＰプロキシ１０３においては（ステップＳ６０８）、今度は送信先ＩＰアドレスのみを画像通信装置１０４のＩＰアドレスに変換して送信し（ステップＳ６０９）、画像通信装置１０４が前記応答メッセージを受信する（図４（ａ）ステップＳ４０５）。
【００６１】
画像通信装置１０４は受信した応答メッセージ内の送信元ＩＰアドレスにより、画像通信装置１０７のＩＰアドレスを認識することができ（ステップＳ４０６）、これ以降はＳＩＰプロキシ１０３を経由しないで、直接画像通信装置１０７宛てにパケットを送信することが可能になる。
【００６２】
以上のようにして、画像通信装置１０４と画像通信装置１０７の間で、画像データの送受信を開始することができる。この場合、電話番号により相手局がＶｏＩＰ網に接続されていることが判明しているので、後述の非ファクシミリ手順による画像通信も当然可能であることを想定している。
【００６３】
ステップＳ４０７以降においては、画像データはＴＣＰ／ＩＰのフレームに組み立てられて伝送され、送信先アドレスは画像通信装置１０７のＩＰアドレスが付加されている。この画像通信で用いるＴＣＰ／ＩＰの上位層に相当するファイル転送プロトコルについては、任意のプロトコルを使用することが可能である。たとえば、一般に使用されているＳＭＴＰ（Ｓｉｍｐｌｅ  Ｍａｉｌ  Ｔｒａｎｓｆｅｒ  Ｐｒｏｔｏｃｏｌ）、ＩＰＰＦＡＸ（Ｉｎｔｅｒｎｅｔ  Ｐｒｉｎｔｉｎｇ  Ｐｒｏｔｏｃｏｌ  ＦＡＸ）、ＦＴＰ（Ｆｉｌｅ  Ｔｒａｎｓｆｅｒ  Ｐｒｏｔｏｃｏｌ）、ＨＴＴＰ（Ｈｙｐｅｒ  Ｔｅｘｔ  Ｔｒａｎｓｆｅｒ  Ｐｒｏｔｏｃｏｌ）、あるいはさらにこれらを応用した専用の方式などを使用することが考えられる。
【００６４】
本実施例においては、画像通信装置１０４、画像通信装置１０７はＳＭＴＰクライアントとサーバの両機能を内蔵しており、両装置間でＳＭＴＰにより画像ファイルを転送することができる。ステップＳ４０７以降においては、ＳＭＴＰによって画像データを送受信する制御を示してある。
【００６５】
ＳＭＴＰによる通信メッセージのやり取りの様子は概略フローチャート（図４（ａ））にも示されているが、以下にやや詳細に示す（ＳＭＴＰメッセージの詳細についてはＲＦＣ８２１やＲＦＣ８２２を参照されたい）。これらのメッセージはすべてＴＣＰ／ＩＰのフレーム上で送受信されるものである。以下のシーケンスにおいて「Ｓ：」は送信側端末（画像通信装置１０４）、「Ｒ：」は受信側端末（画像通信装置１０７）がそれぞれＳＭＴＰポートを介して送信するテキストメッセージを示す。
【００６６】
S: HELO Image Terminal105
R: 250 Image Terminal107
S: MAIL FROM: <192.168.0.1>
R: 250 OK
S: RCPT TO: <193.168.0.1>
R: 250 OK
S: DATA
R: 354 Start mail input; end with <CRLF>.<CRLF>
S: XXXXXXXXXXXXXX (Image Data)
S: XXXXXXXXXXXXXX (Image Data)
S: .
R: 250 OK
S: QUIT
R: 221
画像データの送信に先立ち、画像通信装置１０４はＳＭＴＰハンドラ（プログラム）を起動し、通信開始を示す“ＨＥＬＯ”メッセージを送信する（図４（ａ）ステップＳ４０７）。この“ＨＥＬＯ”メッセージを受信（図５ステップＳ５０５）した画像通信装置１０７はメッセージを受信したことを示す応答メッセージ“２５０”を送信する（図５ステップＳ５０６）。
【００６７】
続いて、画像通信装置１０４は“ＭＡＩＬ  ＦＲＯＭ＜１９２．１６８．０．１＞”  というメッセージを送信する（ステップＳ４０８）。このメッセージを受信（ステップＳ５０７）した画像通信装置１０７は、メッセージを受信したことを示す応答メッセージ“２５０”を送信する（ステップＳ５０８）。
【００６８】
次に、画像通信装置１０４は受信者を指定する“ＲＣＰＴ  ＴＯ：＜１９３．１６８．０．１＞というメッセージを送信する（ステップＳ４０９）。これに対して画像通信装置１０７から応答メッセージを受信（ステップＳ５０９，Ｓ５１０）すると、画像通信装置１０４はデータ送信開始を示す“ＤＡＴＡ”メッセージを送信し（図４（ａ）ステップＳ４１０、図５ステップＳ５１１）、これに対して画像通信装置１０７はデータ送信開始を許可することを示す“３５４”メッセージを送信する（ステップＳ５１２）。画像通信装置１０７から“３５４”メッセージを受信すると（ステップＳ４１１）、画像通信装置１０４は画像データの送信を開始する（ステップＳ４１２）。
【００６９】
送信する画像データは電子メールの添付ファイル形式で送信される。電子メールの添付ファイル形式として広く用いられているのはＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ）フォーマットであるので、本実施例でもこのフォーマットを用いる。ＭＩＭＥヘッダによって画像データ形式を指定した上で、ＭＩＭＥヘッダに続いてＢＡＳＥ６４でエンコードした画像データを送信する（上記のプロトコルシーケンスにおいては「S: XXXXXXXXXXXXXX (Image Data)」の部分）。
【００７０】
画像データの送信にあたって、画像通信装置１０４においては、ＣＰＵ２０１がカードインターフェイス２１４を経由してメモリカードに格納されているＪＰＥＧデータを読み出す（図４（ａ）ステップＳ４１３）。続いて、ＣＰＵ２０１は読み出したデータをＢＡＳＥ６４のエンコード処理を行ない（ステップＳ４１４）、ＬＡＮコントローラ２１６に転送する（ステップＳ４１５）。ＬＡＮコントローラ２１６においては、一定量のデータごとにパケット化して、先に受信した画像通信装置１０７のＩＰアドレス１９３．１６８．０．１をヘッダとして付加して送信する（ステップＳ４１６）。
【００７１】
一方、画像データを受信（図５ステップＳ５１３）した画像通信装置１０７では、ＬＡＮコントローラ２１６ないしＣＰＵ２０１の処理により電子メールテキスト中の不要なヘッダを削除し（ステップＳ５１４）、電子メールテキスト内のＭＩＭＥエンコードされた部分に対してＢＡＳＥ６４デコード処理を行ないＪＰＥＧデータを復元してＲＡＭ２０３に格納する（ステップＳ５１５）。
【００７２】
画像通信装置１０４は全てのＪＰＥＧデータの送信が終了すると（図４（ａ）ステップＳ４１７）、終了メッセージ“ＱＵＩＴ”を画像通信装置１０７に送信し（ステップＳ４１８）、画像通信装置１０７が終了応答メッセージ“２２１”を送信して（ステップＳ５１７）、通信が終了する。
【００７３】
その後、画像通信装置１０７において、ＪＰＥＧデータはＪＰＥＧ処理部２１５において伸張され（ステップＳ５１８）、さらに記録処理部１２３においてＣＭＫＹの４色データに変換され（ステップＳ５１９）、プリンタ部で印刷出力する（ステップＳ５２０）。
【００７４】
以上のようにして、ファクシミリプロトコルを用いることなく高速に画像データを送信することができる。デジタルカメラで撮影したＪＰＥＧ画像データサイズが３００Ｋｂｙｔｅ、ＡＤＳＬ回線のアップロード伝送速度が１Ｍｂｐｓとすると、電送に要する時間は３００Ｋ÷（１０００Ｋ÷８）＝２．４秒（程度）で済む。
【００７５】
一方、画像通信装置１０４において、図４（ａ）のステップＳ４０２で入力された電話番号が０３−１２３４−５６７８のように回線交換網（１１０）の番号であった場合は、この先頭３桁の番号により回線交換網を経由して通信する相手に対するものであると判断する。この場合はメディアゲートウェイ１１１を用いて電話回線交換網１１０に接続された画像通信装置１１２と通信する。
【００７６】
まず、ＡＤＳＬモデムに接続されたＣＳＭＡ／ＣＤインターフェイス１０６経由で、電話番号情報を入れたＳＩＰ（Ｓｅｓｓｉｏｎ  Ｉｎｉｔｉａｔｉｏｎ  Ｐｒｏｔｏｃｏｌ）のセッション要求メッセージ（ＩＮＶＩＴＥメッセージ）を送信する（図４（ｂ）ステップＳ４１９）。セッション要求メッセージの送信先アドレスには、ＳＩＰプロキシ１０３のプライベートＩＰアドレス１９２．１６８．０．１を入れて送信する。
【００７７】
セッション要求メッセージのヘッダ内の宛先には、先にキー操作部２１１から入力されていた電話番号情報を、送信元には画像通信装置１０４の電話番号情報が入っている。また、前記メッセージを格納するＩＰパケットの送信先ＩＰアドレスにはＳＩＰプロキシ１０３のＩＰアドレスを、送信元ＩＰアドレスには画像通信装置１０４のＩＰアドレスが格納されている。
【００７８】
ＳＩＰプロキシ１０３は受け取ったセッション要求メッセージのヘッダ内の電話番号を８．７．６．５．４．３．２．１．３．０．ｅ１６４．ａｒｐａというＵＲＬに展開し（図６ステップＳ６０２）、ＤＮＳサーバ１０２を検索する（ステップＳ６０３）。ＤＮＳサーバ１０２から電話回線交換網１１０と接続するためのメディアゲートウェイ１１１のＩＰアドレスを受信したＳＩＰプロキシは（ステップＳ６０４）、画像通信装置１０４から受信したパケット内の送信先ＩＰアドレスをＤＮＳサーバ１０２から受信したメディアゲートウェイ１１１のＩＰアドレス１９４．１６８．０．１に入れ替え、送信元ＩＰアドレスをＳＩＰプロキシ１０３のＩＰアドレスに入れ替えた上で、メディアゲートウェイ１１１宛てにセッション要求メッセージを送信する（ステップＳ６０５）。
【００７９】
セッション要求メッセージを受信（図７ステップＳ７０１）したファクシミリゲートウェイ１１１は、電話回線交換網１１０を経由して画像通信装置１１２に対して着信通知を行なう（ステップＳ７０２）と同時に、呼出中メッセージをＳＩＰプロキシ１０３宛てに送信する（ステップＳ７０３）。呼出中メッセージのヘッダ内の宛先には、受信したセッション要求メッセージのヘッダに記述されている送信元電話番号情報を入れ、送信先ＩＰアドレスには、セッション要求メッセージの送信元ＩＰアドレスである、ＳＩＰプロキシ１０３のアドレスを入れて送信する。
【００８０】
呼出中メッセージを受信したＳＩＰプロキシ１０３は（ステップＳ６０６）、送信先ＩＰアドレスを画像通信装置１０４のＩＰアドレスに、送信元ＩＰアドレスをＳＩＰプロキシ１０３のＩＰアドレスにそれぞれ入れ替えて送信し（ステップＳ６０７）、画像通信装置１０４が呼出中メッセージを受信する（図４（ｂ）ステップＳ４２０）。
【００８１】
続いて、着信通知を受けた画像通信装置１１２は（図８ステップＳ８０１）、受信できる状態であれば（ステップＳ８０２）、電話回線交換網１１０を経由してメディアゲートウェイ１１１に応答を行い（ステップＳ８０３）、応答を受けたメディアゲートウェイ１１１は（ステップＳ７０４）、ＳＩＰプロキシ１０３宛てに応答メッセージを送信する（ステップＳ７０５）。応答メッセージを受信したＳＩＰプロキシ１０３においては、今度は送信先ＩＰアドレスのみを画像通信装置１０４のＩＰアドレスに変換して送信し、画像通信装置１０４が前記応答メッセージを受信する（ステップＳ４２１）。
【００８２】
画像通信装置１０４は受信した応答メッセージ内の送信元ＩＰアドレスにより、メディアゲートウェイ１１１のＩＰアドレスを認識することができ（ステップＳ４２２）、これ以降はＳＩＰプロキシ１０３を経由しないで、ＩＰ網１０１−メディアゲートウェイ１１１〜電話回線交換網１１０経由で、画像通信装置１１２宛てにパケットを送信することが可能になる。
【００８３】
以上のようにして、画像通信装置１０４と画像通信装置１１２の間で、メディアゲートウェイ１１１を介してデータの送受信を開始することができる。
【００８４】
画像通信装置１０４と画像通信装置１１２の間で画像の送受信を行なう場合（ステップＳ４２３）、ＣＰＵ２０１はモデムコーデック２１０内のレジスタに所定の値を書き込むことにより、トーン生成部２１０−２をデジタル符号化部２１０−４に接続するようにセレクタ２１０−５を切り替える（ステップＳ４２４）。また、同様にモデムコーデック２１０内のレジスタに所定の値を書き込むことにより、デジタル符号化部の符号化方式として６４Ｋｂｐｓ  ＰＣＭ符号化（Ｇ．７１１）を選択する（ステップＳ４２５）。
【００８５】
ここで６４Ｋｂｐｓ  ＰＣＭ符号化（Ｇ．７１１）を選択する理由は次の通りである。画像通信装置１０４と画像通信装置１１２の間の画像通信においては、メディアゲートウェイ１１１から画像通信装置１１２に対してアナログファクシミリ信号を送信させなければならないが、この時、たとえばＩＴＵ−Ｔ勧告Ｖ．３４ではＴＣＭ（Ｔｒｅｌｌｉｓ  Ｃｏｄｅｄ  Ｍｏｄｕｌａｔｉｏｎ）により３３．６Ｋｂｐｓのアナログファクシミリ変調を行ない、得られたアナログファクシミリ信号をメディアゲートウェイ１１１にデジタル変換した上、送信する。この時、６４Ｋｂｐｓ  ＰＣＭ符号化（Ｇ．７１１）よりそれ以外の低速なＶｏＩＰ符号化方式を用いると量子化誤差が大きくなり正常に通信できなくなるおそれがあるためである。このようにして、メディアゲートウェイ１１１へ送信するＶｏＩＰ信号デジタル化に６４Ｋｂｐｓ  ＰＣＭ符号化を用いることにより、画像通信装置１１２との間のファクシミリ通信の確実性を向上させることができる。なお、６４Ｋｂｐｓ  ＰＣＭ符号化を用いれば、ＴＣＭの３３．６Ｋｂｐｓよりも低速なアナログファクシミリ変調信号が用いられる場合（実際にはアナログファクシミリ変調信号の上限が９６００ｂｐｓ〜１４．４ｋｂｐｓ〜２８．８ｋｂｐｓ程度（あるいはそれ以下）のファクシミリ装置も多数運用されている）、さらに画像通信装置１１２との間の通信の確実性は高まる。
【００８６】
続いて、トーン生成部２１０−２はＣＮＧ信号を出力し、生成されたＣＮＧ信号はセレクタ２１０−５を経由してデジタル符号化部２１０−４に入力されて、６４Ｋｂｐｓ  ＰＣＭ符号化方式により符号化される。
【００８７】
ＰＣＭ符号化されたＣＮＧ信号は、ＣＰＵ２０１の制御によりデータバスを経由してＲＡＭ２０３に転送されて格納される。続いて、ＣＰＵ２０１はＰＣＭ符号化データが５１２バイト分格納された段階で、前記データに送信先ＩＰアドレス、送信元ＩＰアドレスを含むＩＰヘッダを付加したフレームを生成して、ＬＡＮコントローラ２１６に転送する。送信先ＩＰアドレスにはゲートウェイのＩＰアドレスである１９４．１６８．０．１を入れ、送信元ＩＰアドレスに画像通信装置１０４のＩＰアドレスである１９２．１６８．０．１が入れられている。
【００８８】
ＬＡＮコントローラ２１６は送信データを受信すると、ＭＡＣ（Ｍｅｄｉａ  Ａｃｃｅｓｓ  Ｃｏｎｔｒｏｌ）ヘッダを付加して、ＣＮＧ信号がＡＤＳＬモデム１０５に送信される（ステップＳ４２６）。
【００８９】
データを受信したＡＤＳＬモデム１０５からはＡＤＳＬ回線を経由してＩＰ網にパケットが送信される。送信されたパケットの送信先ＩＰアドレスはゲートウェイとなっているので、ＩＰ網１０１を経由して、前記パケットはメディアゲートウェイ１１１に届けられる。
【００９０】
メディアゲートウェイ１１１は、画像通信装置１０４からパケットを受信すると（図７ステップＳ７０６）、電話回線交換網１１０経由で画像通信装置１１２宛てに送るべきものであると認識し、受信したパケットから符号化データを抽出し、復号処理を行ってアナログ信号に変換する（ステップＳ７０７）。アナログ信号に変換されたＦＡＸ信号は回線交換網を経由して画像通信装置１１２に到達する。また、ステップＳ７０９において、メディアゲートウェイ１１１が画像通信装置１１２から送信されたアナログ信号を受信すると、画像通信装置１０４に送信すべきものであると認識して、画像通信装置１０４宛てのパケットを組み立てて送信する（ステップＳ７１０）。以上の中継処理は切断が検出される（ステップＳ７０８、Ｓ７１１）まで続けられる。
【００９１】
以上のようにして、画像通信装置１０４から送出されるＦＡＸ信号が画像通信装置１１２に伝送され、通常のアナログ電話回線を通じてＦＡＸ通信を行なう場合と等価な環境を得ることができる。したがって、画像通信装置１０４と画像通信装置１１２にとっては、ＦＡＸトーン信号をＰＣＭ符号化すること以外には、従来のＦＡＸ通信と同様の処理を行なうに過ぎず、画像通信装置１１２は、旧来のＴ．３０ファクシミリ手順と全く同様の動作が行なえればよい。
【００９２】
以下、画像通信装置１０４〜画像通信装置１１２でＣＮＧ信号を送受信した後の動作を、簡単に説明しておく。
【００９３】
ＣＮＧを受信した画像通信装置１１２は（図８ステップＳ８０４）、ＤＩＳを送信する（ステップＳ８０５）。ＤＩＳを受信した画像通信装置１０４は（図４（ｂ）ステップＳ４２７）、ＤＣＳおよびＴＣＦを送信し（ステップＳ４２８）、ＤＣＳおよびＴＣＦを受信した画像通信装置１１２は（ステップＳ８０６）、ＣＦＲを送信する（ステップＳ８０７）。
【００９４】
画像通信装置１０４がＣＦＲを受信すると（ステップＳ４２９）、トーン信号の送受信が終了したので、ＣＰＵ２０１はセレクタ２１０−５を切り換え、変調処理部２１０−３をデジタル符号化部２１０−４に接続する（ステップＳ４３０）。
【００９５】
続いて、ＣＰＵ２０１が読取制御部２０５およびＣＩＳ２０４による画像読み取りを開始する（ステップＳ４３１）。画像データ送信においては、読取制御部２０５の制御によって原稿を搬送しながらＣＩＳ２０４から入力されるアナログ信号をＡ／Ｄ変換する（ステップＳ４３２）。変換された画像データはＭＨ処理部２０６でＭＨ符号化圧縮を受ける（ステップＳ４３３）。続いて、ＭＨ符号化したデータをデータバス経由でモデムコーデック２１０内の変調処理部２１０−３に入力し、アナログ信号に変調する（ステップＳ４３４）。本実施例においては、ＴＣＭ符号化方式により３３．６Ｋｂｐｓの伝送速度のアナログファクシミリ信号に変調することを想定している。
【００９６】
変調されたデータはセレクタ２１０−３を経由してデジタル符号化部２１０−４に入力され、デジタル符号化部においてＰＣＭ符号化される（ステップＳ４３５）。ＰＣＭ符号化されたデータはデータバスを経由してメモリ２０３に格納される。続いて、ＣＰＵ２０１はＰＣＭ符号化されたデータにＴＣＰ／ＩＰヘッダを付加したフレームを組み立て、ＬＡＮコントローラ２１６に転送する（ステップＳ４３６）。ＬＡＮコントローラ２１６は、このＴＣＰ／ＩＰパケットをメディアゲートウェイ１１１宛てに送信する（ステップＳ４３７）。
【００９７】
メディアゲートウェイ１１１は、受信したＴＣＰ／ＩＰパケットから符号化データを抽出し、アナログ信号として電話回線交換網１１０経由で画像通信装置１１２に送信する（上述の図７ステップＳ７０６〜Ｓ７０８）。
【００９８】
全ての画像データの送信が終了すると（ステップＳ４３８）、呼を切断して終了する（ステップＳ４３９）。
【００９９】
画像データを受信した画像通信装置１１２においては（ステップＳ８０８）、受信した画像データをＦＡＸモデムで復調し（ステップＳ８０９）、ＭＨ処理部（図２（ａ）の２０６と同等）で復号化し（ステップＳ８１０）、記録処理部（図２（ａ）の２１３と同等）でＣＭＫＹの４色データに変換し（ステップＳ８１１）、プリンタ部において印刷して出力する（ステップＳ８１２）。
【０１００】
ステップＳ４２３において、同じ相手に対して音声を送信する場合には、ＣＰＵ２０１がセレクタ２１０−３を切り替えて、Ａ／Ｄコンバータ２１０−１をデジタル符号化部２１０−４に接続する（図４（ｃ）ステップＳ４４０）。また、呼接続時に画像通信装置１０４とメディアゲートウェイ１１１の間で決定した音声符号化方式を使用するように、ＣＰＵ２０１がモデムコーデック２１０内のレジスタに所定の値を書き込む（ステップＳ４４１）。本実施例では、５．３ｋｂ／ｓ：Ａ−ＣＥＬＰ（Ｇ．７２３．１）が選択されたことを想定して説明を行なう。
【０１０１】
音声入出力部２０８から入力された音声はＡ／Ｄコンバータ２１０−１においてデジタル変換され、セレクタ２１０−５経由でデジタル符号化部２１０−４に入力される。
【０１０２】
デジタル符号化部２１０−４では５．３ｋｂｐｓの速度のＧ．７２３．１の符号化データに変換し（ステップＳ４４２）、変換されたデータはデータバスを経由してメモリ２０３に格納される。続いて、ＩＰヘッダを付加したフレームを組み立てた上で、ＬＡＮコントローラ２１６に転送され（ステップＳ４４３）、ＬＡＮコントローラ２１６でＭＡＣアドレスを付加して画像通信装置１１２宛てに送信される（ステップＳ４４４）。
【０１０３】
通話が終了するまでこのデータ処理を繰り返し、通話が終了すると（ステップＳ４４５）、回線を切断して通信が終了する（ステップＳ４４６）。
【０１０４】
このように、通信相手と通信メディアに応じて、モデムコーデック２１０内部のセレクタ２１０−５と符号化方式を切り替えて使用することにより、効率的な変調、符号化、通信を実現することができる。これらの組み合わせを図９の表図に示す。
【０１０５】
図９に示したように、ＩＰ網経由の画像通信９０１ではモデムコーデック２１０は用いないが、ＩＰ網経由の音声通信９０２と、電話網経由の画像通信９０３とではそれぞれ異なる符号化方式が用いられる。
【０１０６】
特に、電話網経由の画像通信９０３、すなわち、画像通信装置１０４が画像通信装置１１２を発呼し、Ｔ．３０ファクシミリ通信を行なう場合は、ＩＰ網経由の画像通信に最も適した６４Ｋｂｐｓ  ＰＣＭ符号化方式を用いる。なお、ここで６４ｋｂｐｓのＰＣＭ符号化方式を指定しているのは、これ以下の速度（上記のデジタル符号化部２１０−４に関して示したより低速な符号化方式）では、トレーニング失敗に起因するフォールバックなどにより画像伝送速度が低下するおそれがあるためで、この６４ｋｂｐｓ相当のＰＣＭ符号化方式であれば３３．６Ｋｂｐｓをほぼ上限として、それ以下の９６００ｂｐｓ〜１４．４ｋｂｐｓ〜２８．８ｋｂｐｓ程度のアナログファクシミリ通信であればより確実にアナログファクシミリ通信を行なうことができる。
【０１０７】
また、ＩＰ網経由の音声通信９０２（双方の端末がＩＰコネクションを有する場合）、あるいは電話網経由の音声通信９０４（相手端末がＩＰコネクションを持たず、適当なＶｏＩＰゲートウェイを経由して接続される場合）は、これらの音声通信に適した任意の符号化方式が用いられる。特に、ＩＰ網経由の音声通信９０２（双方の端末がＩＰコネクションを有する場合）においては、相手局との間でＶｏＩＰプロトコルに基づき行なわれるネゴシエーションにより決定されたデジタル符号化方式を選択して用いる。
【０１０８】
以上のようにして、画像データをファクシミリ変調したアナログ画像信号をメディアゲートウェイ１１１を介して画像通信装置１１２に送信することができる。
【０１０９】
本実施例によれば、画像送信時に、モデムで変調した信号をアナログ信号に変換しさらにＶｏＩＰコーデックに通してデジタル化するような無駄な処理過程（図２（ｂ））を必要とせず、さらに、音声通信でも使用するデジタル符号化手段（モデムコーデック２１０）のデジタル符号化方式を適宜選択する、特に、メディアゲートウェイ１１１を介してＩＰコネクションを有していない画像通信装置１１２との間で画像通信を行なう場合はファクシミリ変調方式に最適なデジタル符号化方式（上記の例では６４ｋｂｐｓＰＣＭ符号化方式）を選択することにより、ＶｏＩＰデジタル通信の帯域を９６００ｂｐｓ〜１４．４ｋｂｐｓ〜２８．８ｋｂｐｓ〜３３．６Ｋｂｐｓの範囲のアナログファクシミリ信号で極めて有効に利用でき、メディアゲートウェイ１１１を介して画像通信装置１１２と信頼性の高い画像通信を行なうことができる。
【０１１０】
また、ＶｏＩＰ音声通信と、画像通信に同一のデジタル符号化手段（モデムコーデック２１０）を共用することができ、ハード資源の有効利用が可能となり、システムを簡単安価に構成することができる。
【０１１１】
なお、図２（ａ）に示したモデムコーデック２１０は１チップデバイスとして構成することができるが、モデムコーデック内の各機能は異なるデバイスに分散して構成される場合でも、上記同様の効果を得ることができるのはいうまでもない。
【実施例２】
【０１１２】
上記実施例１では画像通信装置１０４が画像通信装置１０７に画像を送信する際、通信プロトコルとしてＳＭＴＰを使用する例を示した。しかしながら、他の画像通信プロトコルを使用することによっても、同様の効果を得ることは可能である。たとえば、ＩＰＰＦＡＸ（Ｉｎｔｅｒｎｅｔ  Ｐｒｉｎｔｉｎｇ  Ｐｒｏｔｏｃｏｌ  ＦＡＸ）を使用してもＰｅｅｒ  ｔｏ  Ｐｅｅｒの画像伝送を実現することができる。
【０１１３】
図３（ｃ）は画像通信装置１０４と１１２の間でＩＰＰＦＡＸを用いる場合の通信シーケンスを示したもので、画像伝送が開始されるまでのシーケンスは図３（ａ）と同じである。そして、図３（ａ）においてＳＭＴＰで行なわれていた画像伝送が図３（ｃ）ではＩＰＰＦＡＸのプロトコルにより行なわれている。
【０１１４】
なお、双方ともＩＰコネクションを有する画像通信装置１０４と１１２の間でファクシミリ手順を用いずに画像伝送を行なうには、上記のＳＭＴＰやＩＰＰＦＡＸに限らず、ＨＴＴＰやＦＴＰなど他のＴＣＰ／ＩＰ上の任意のプロトコルを利用できるのはいうまでもない。
【実施例３】
【０１１５】
上記実施例１においては、画像通信装置１０４から画像通信装置１０７に対しての送信時には、メモリカードのＪＰＥＧ画像データを送信し、画像通信装置１０４から画像通信装置１１２に対しての送信時には、ＣＩＳでの読取画像を送信するものとして説明した。しかし、それぞれの通信における画像入力方法については上記と逆の組み合わせであっても同様の効果を得ることができるのはいうまでもない。
【実施例４】
【０１１６】
上記実施例１においては、電話番号の先頭部の番号によって、ＩＰ網に接続された端末宛てのものであるか、回線交換網に接続された端末宛てのものであるかの判断を行なう旨説明した。しかしながら、あらかじめ電話番号と相手端末が接続される網種別の関係を登録しておくことによっても相手端末の識別を行ない上述と同等の効果を得ることが可能であるのはいうまでもない。
【産業上の利用可能性】
【０１１７】
本発明は、音声および画像通信を行なうとともに、アナログ通信路とネットワーク通信路に対応した通信装置に適用できるものであるが、このような通信装置は、専用機として構成できる他、スキャナやカメラインターフェースなどの画像入出力部と、ネットワークインターフェースを有するＰＣ（パーソナルコンピュータ）などのハードウェアを利用して実施することもできる。特に本発明の方法ないしプログラムはこのようなＰＣハードウェアを利用する場合に、適当な記憶媒体経由、あるいはネットワーク経由でＰＣハードウェアに導入することができる。
【図面の簡単な説明】
【０１１８】
【図１】本発明を採用した画像通信装置を含むネットワークシステムの構成を示したブロック図である。
【図２（ａ）】本発明を採用した画像通信装置の内部構成を示したブロック図である。
【図２（ｂ）】従来の画像通信装置の内部構成を示したブロック図である。
【図３（ａ）】図１の画像通信装置１０４から画像通信装置１０７に対して画像を送信する通信シーケンスを示した説明図である。
【図３（ｂ）】図１の画像通信装置１０４から画像通信装置１１２に対して画像を送信する通信シーケンスを示した説明図である。
【図３（ｃ）】図１の画像通信装置１０４から画像通信装置１０７に対して画像を送信する異なる通信シーケンスを示した説明図である。
【図４（ａ）】図１の画像通信装置１０４の通信制御を示したフローチャート図である。
【図４（ｂ）】図１の画像通信装置１０４の通信制御を示したフローチャート図である。
【図４（ｃ）】図１の画像通信装置１０４の通信制御を示したフローチャート図である。
【図５】図１の画像通信装置１０７の通信制御を示したフローチャート図である。
【図６】図１のＳＩＰプロキシの通信制御を示したフローチャート図である。
【図７】図１のメディアゲートウェイ１１１の通信制御を示したフローチャート図である。
【図８】図１の画像通信装置１１２の通信制御を示したフローチャート図である。
【図９】図１の画像通信装置１０４で用いられる符号化方式を示した説明図である。
【符号の説明】
【０１１９】
１０１  ＩＰ網
１０２  ＤＮＳサーバ
１０３  ＳＩＰプロキシ
１０４  画像通信装置
１０５  ＡＤＳＬモデム
１０７  画像通信装置
１１０  電話回線交換網
１１１  メディアゲートウェイ
２０１  ＣＰＵ
２０２  ＲＯＭ
２０３  ＲＡＭ
２０４  ＣＩＳ
２０５  読取制御部
２０６  ＭＨ処理部
２０８  音声入出力部
２１０  ＶｏＩＰコーデック
２１１  キー操作部
２１３  記録処理部
２１６  ＬＡＮコントローラ
【図１】
2005079929.tif 000003
【図２（ａ）】
2005079929.tif 000004
【図２（ｂ）】
2005079929.tif 000005
【図３（ａ）】
2005079929.tif 000006
【図３（ｂ）】
2005079929.tif 000007
【図３（ｃ）】
2005079929.tif 000008
【図４（ａ）】
2005079929.tif 000009
【図４（ｂ）】
2005079929.tif 000010
【図４（ｃ）】
2005079929.tif 000011
【図５】
2005079929.tif 000012
【図６】
2005079929.tif 000013
【図７】
2005079929.tif 000014
【図８】
2005079929.tif 000015
【図９】
2005079929.tif 000016